(57)【特許請求の範囲】
【請求項１】
固体光源を有する発光部を備え、前記発光部が発する光を変調して画像を投射するプロジェクターであって、
前記固体光源が発する光のホワイトバランスを調整する第１位相差板と、
前記プロジェクターの製造出荷後において前記発光部が発した光の通算の光量である累積光量に応じて前記固体光源に供給する電力を調整する電力制御部と、
前記電力制御部の調整に対応する前記ホワイトバランスの調整パラメーターを求め、求めた前記調整パラメーターに基づいて前記第１位相差板の回転角度を制御して、前記第１位相差板に前記ホワイトバランスを調整させるホワイトバランス制御部と、を備える、
プロジェクター。
【請求項２】
前記電力制御部は、ＰＷＭ制御によって前記固体光源に供給する電力を調整する、
請求項１に記載のプロジェクター。
【請求項３】
前記電力制御部は、電流制御によって前記固体光源に供給する電力を調整する、
請求項１に記載のプロジェクター。
【請求項４】
前記ホワイトバランス制御部は、
前記固体光源に供給する電力と前記ホワイトバランスの変化の実測値との相関に基づいて、前記調整パラメーターを求める、
請求項１から３のいずれか一項に記載のプロジェクター。
【請求項５】
前記電力制御部は、
前記累積光量に応じた前記固体光源の発光光量の低下量が減少するように、前記固体光源に供給する電力を調整する、
請求項１から４のいずれか一項に記載のプロジェクター。
【請求項６】
前記電力制御部は、
前記発光部の寿命が長くなるように、前記固体光源に供給する電力を調整する、
請求項１から５のいずれか一項に記載のプロジェクター。
【請求項７】
前記ホワイトバランス制御部は、
前記電力制御部が前記固体光源に供給する電力を調整する度に、前記第１位相差板に前記ホワイトバランスを調整させる、
請求項１から６のいずれか一項に記載のプロジェクター。
【請求項８】
前記ホワイトバランスを測定するセンサーを備え、
前記ホワイトバランス制御部は、前記第１位相差板に、前記調整パラメーターに基づく前記ホワイトバランスの調整と並行して前記センサーの測定値に基づく前記ホワイトバランスの調整を行わせる、
請求項１から７のいずれか一項に記載のプロジェクター。
【請求項９】
固体光源を有する発光部と、前記固体光源が発する光のホワイトバランスを調整する第１位相差板とを備え、前記発光部が発する光を変調して画像を投射するプロジェクターの制御方法であって、
前記プロジェクターの製造出荷後において前記発光部が発した光の通算の光量である累積光量に応じて前記固体光源に供給する電力を調整し、
前記固体光源に供給する電力の調整に対応する前記ホワイトバランスの調整パラメーターを求め、求めた前記調整パラメーターに基づいて前記第１位相差板の回転角度を制御して、前記第１位相差板に前記ホワイトバランスを調整させる、
プロジェクターの制御方法。
【発明の詳細な説明】
【技術分野】
【０００１】
本発明は、プロジェクター、及び、プロジェクターの制御方法に関する。
【背景技術】
【０００２】
従来、ＬＥＤ等の固体光源に供給する電力を調整して固体光源を有する発光部が発する光の光量を変える技術が知られている。例えば、特許文献１では、ＬＥＤの積算点灯時間を測定し、測定した積算点灯時間に応じた点灯デューティーでＬＥＤを点灯させて発光部であるバックライト光源の光量を変える装置を開示する。
【先行技術文献】
【特許文献】
【０００３】
【特許文献１】特開２０００−２１４４３４号公報
【発明の概要】
【発明が解決しようとする課題】
【０００４】
しかしながら、固体光源に供給する電力の調整によって発光部の発光光量が変化すると、発光部が発する光のホワイトバランスが変化してしまうという問題がある。
【課題を解決するための手段】
【０００５】
上記課題を解決する一態様は、固体光源を有する発光部を備え、前記発光部が発する光を変調して画像を投射するプロジェクターであって、前記固体光源が発する光のホワイトバランスを調整する調整部と、前記発光部の使用時間に応じて前記固体光源に供給する電力を調整する電力制御部と、前記電力制御部の調整に対応する前記ホワイトバランスの調整パラメーターを求め、求めた前記調整パラメーターに基づいて前記調整部に前記ホワイトバランスを調整させるホワイトバランス制御部と、を備える、プロジェクターである。
【０００６】
上記プロジェクターにおいて、前記電力制御部は、前記発光部が発した光の明るさを示す値で重み付けを行った前記発光部の使用時間に応じて、前記固体光源に供給する電力を調整する、構成でもよい。
【０００７】
上記プロジェクターにおいて、前記電力制御部は、ＰＷＭ制御によって前記固体光源に供給する電力を調整する、構成でもよい。
【０００８】
上記プロジェクターにおいて、前記電力制御部は、電流制御によって前記固体光源に供給する電力を調整する、構成でもよい。
【０００９】
上記プロジェクターにおいて、前記ホワイトバランス制御部は、前記固体光源に供給する電力と前記ホワイトバランスの変化の実測値との相関に基づいて、前記調整パラメーターを求める、構成でもよい。
【００１０】
上記プロジェクターにおいて、前記電力制御部は、前記発光部の使用時間に応じた前記固体光源の発光光量の低下量が減少するように、前記固体光源に供給する電力を調整する、構成でもよい。
【００１１】
上記プロジェクターにおいて、前記電力制御部は、前記発光部の寿命が長くなるように、前記固体光源に供給する電力を調整する、構成でもよい。
【００１２】
上記プロジェクターにおいて、前記ホワイトバランス制御部は、前記電力制御部が前記固体光源に供給する電力を調整する度に、前記調整部に前記ホワイトバランスを調整させる、構成でもよい。
【００１３】
上記プロジェクターにおいて、前記ホワイトバランスを測定するセンサーを備え、前記ホワイトバランス制御部は、前記調整部に、前記調整パラメーターに基づく前記ホワイトバランスの調整と並行して前記センサーの測定値に基づく前記ホワイトバランスの調整を行わせる、構成でもよい。
【００１４】
上記課題を解決する別の一態様は、固体光源を有する発光部と、前記固体光源が発する光のホワイトバランスを調整する調整部とを備え、前記発光部が発する光を変調して画像を投射するプロジェクターの制御方法であって、前記発光部の使用時間に応じて前記固体光源に供給する電力を調整し、前記固体光源に供給する電力の調整に対応する前記ホワイトバランスの調整パラメーターを求め、求めた前記調整パラメーターに基づいて前記調整部に前記ホワイトバランスを調整させる、プロジェクターの制御方法である。
【図面の簡単な説明】
【００１５】
【図１】プロジェクターの構成を示すブロック図。
【図２】光源部の構成を示す図。
【図３】電力制御部の動作を示すフローチャート。
【図４】累積光量と光源部に供給する電力との関係を示す図表。
【図５】ホワイトバランス制御部の動作を示すフローチャート。
【図６】プロジェクターの構成を示すブロック図。
【発明を実施するための形態】
【００１６】
［第１実施形態］
まず、第１実施形態について説明する。
図１は、プロジェクター１の構成を示すブロック図である。
プロジェクター１は、外部装置として画像供給装置２が接続される。画像供給装置２は、プロジェクター１に画像データを出力する。プロジェクター１は、画像供給装置２から入力される画像データに基づき、投射面としてのスクリーンＳＣに画像を投射する。
【００１７】
画像供給装置２から入力される画像データは、所定規格に準拠した画像データである。この画像データは、静止画像データであっても動画像データであってもよく、音声データを伴ってもよい。
【００１８】
画像供給装置２は、プロジェクター１に画像データを出力する、いわゆる画像ソースである。画像供給装置２の具体的な構成は制限されず、プロジェクター１に接続可能であって、プロジェクター１に画像データを出力できる機器であればよい。例えば、ディスク型記録メディア再生装置、テレビチューナー装置、パーソナルコンピューターを用いてもよい。
【００１９】
スクリーンＳＣは、幕状のスクリーンであってもよいし、建造物の壁面や設置物の平面をスクリーンＳＣとして利用してもよい。スクリーンＳＣは平面に限らず、曲面や、凹凸を有する面であってもよい。
【００２０】
プロジェクター１は、制御部１０を備える。
制御部１０は、ＣＰＵやＭＰＵ等のプログラムを実行するプロセッサー１１０、及び、記憶部１２０を備え、プロジェクター１の各部を制御する。制御部１０は、プロセッサー１１０が、記憶部１２０に記憶された制御プログラム１２１を読み出して処理を実行するように、ハードウェア、及びソフトウェアの協働により各種処理を実行する。また、プロセッサー１１０は、制御プログラム１２１を読み出して実行することにより、投射制御部１１１、電力制御部１１２、及び、ホワイトバランス制御部１１３として機能する。これら機能ブロックの詳細については後述する。
【００２１】
記憶部１２０は、プロセッサー１１０が実行するプログラムや、プロセッサー１１０により処理されるデータを記憶する記憶領域を有する。記憶部１２０は、プログラムやデータを不揮発的に記憶する不揮発性記憶領域を有する。また、記憶部１２０は、揮発性記憶領域を備え、プロセッサー１１０が実行するプログラムや処理対象のデータを一時的に記憶するワークエリアを構成してもよい。
【００２２】
記憶部１２０は、プロセッサー１１０が実行する制御プログラム１２１の他に、設定データ１２２、第１対応テーブル１２３、及び、第２対応テーブル１２４を記憶する。第１対応テーブル１２３、及び、第２対応テーブル１２４の詳細については後述する。設定データ１２２は、プロジェクター１の動作に関する設定値を含む。設定データ１２２に含まれる設定値としては、例えば、光源部８１が発する光の明るさを示す設定値や、画像処理部４０が実行する処理内容を示す設定値、画像処理部４０の処理に用いるパラメーター等である。
【００２３】
プロジェクター１は、インターフェース部２０、フレームメモリー３０、画像処理部４０、及び、操作部５０を備える。これらの各部は、バス６０を介して制御部１０とデータ通信可能に接続される。
【００２４】
インターフェース部２０は、所定の通信規格に準拠したコネクター及びインターフェース回路等の通信ハードウェアを備える。図１では、コネクター及びインターフェース回路についての図示を省略している。インターフェース部２０は、ケーブルを介して画像供給装置２に接続され、制御部１０の制御に従って、画像供給装置２との間で画像データや制御データ等を送受信する。
【００２５】
フレームメモリー３０、及び、画像処理部４０は、例えば集積回路により構成される。集積回路には、ＬＳＩ、ＡＳＩＣ（Application Specific Integrated Circuit）、ＰＬＤ（Programmable Logic Device）、ＦＰＧＡ（Field-Programmable Gate Array）、ＳｏＣ（System-on-a-chip）等が含まれる。また、集積回路の構成の一部にアナログ回路が含まれてもよく、制御部１０と集積回路とが組み合わる構成でもよい。
【００２６】
フレームメモリー３０は、複数のバンクを備える。各バンクは、画像データの１フレームを書き込み可能な記憶容量を有する。フレームメモリー３０は、例えば、ＳＤＲＡＭにより構成される。なお、ＳＤＲＡＭは、Ｓｙｎｃｈｒｏｎｏｕｓ  Ｄｙｎａｍｉｃ  Ｒａｎｄｏｍ  Ａｃｃｅｓｓ  Ｍｅｍｏｒｙの略である。
【００２７】
画像処理部４０は、フレームメモリー３０に展開された画像データに対して、例えば、解像度変換処理又はリサイズ処理、歪曲収差の補正、形状補正処理、デジタルズーム処理、画像の色合いや輝度の調整等の画像処理を行う。画像処理部４０は、制御部１０により指定された処理を実行し、必要に応じて、制御部１０から入力されるパラメーターを使用して処理を行う。また、画像処理部４０は、上記のうち複数の画像処理を組み合わせて実行することも可能である。
画像処理部４０は、処理の終了した画像データをフレームメモリー３０から読み出して光変調装置駆動回路９２に出力する。
【００２８】
操作部５０は、操作パネル５１、リモコン受光部５２、及び、入力処理部５３を備える。
【００２９】
操作パネル５１は、プロジェクター１の筐体に設けられ、ユーザーが操作可能な各種スイッチを備える。入力処理部５３は、操作パネル５１の各スイッチの操作を検出する。
リモコン受光部５２は、リモコン３が送信する赤外線信号を受光する。入力処理部５３は、リモコン受光部５２が受光した信号をデコードして、操作データを生成し、制御部１０に出力する。
入力処理部５３は、操作パネル５１、及びリモコン受光部５２に接続される。入力処理部５３は、操作パネル５１またはリモコン受光部５２でユーザーの操作を受け付けた場合に、受け付けた操作に対応する操作データを生成して制御部１０に出力する。
【００３０】
プロジェクター１は、電源部７０を備える。
電源部７０は、ケーブルを介して商用交流電源４に接続し、商用交流電源４から供給される電力に基づいてプロジェクター１を駆動させる電力を生成する。また、電源部７０は、生成した電力を、光源駆動回路９１を含むプロジェクター１の各部に供給する。
【００３１】
プロジェクター１は、投射部８０と、投射部８０を駆動する駆動部９０とを備える。
投射部８０は、光源部８１、光変調装置８２、及び、投射光学系８３を備える。駆動部９０は、光源駆動回路９１、及び、光変調装置駆動回路９２を備える。光源部８１は、発光部の一例に対応する。
【００３２】
光源駆動回路９１は、バス６０を介して制御部１０に接続され、また、光源部８１に接続される。光源駆動回路９１は、制御部１０の制御に従って、電源部７０から供給された電力に基づいて光源部８１を点灯又は消灯させる。具体的には、光源駆動回路９１は、電源部７０から供給された電力に基づいてＰＷＭ制御で光源部８１のアレイ光源８１１に電力を供給する。アレイ光源８１１は、固体光源の一例に対応する。また、光源駆動回路９１は、パルス信号のデューティー比を変更してアレイ光源８１１に供給する電力を変更し、光源部８１が発する光の光量を変更する。つまり、光源駆動回路９１は、制御部１０の制御に従って、アレイ光源８１１の点灯時間と消灯時間とのデューティー比を変更することでアレイ光源８１１に供給する電力を変更し、光源部８１が発する光の光量を変更する。
【００３３】
光変調装置駆動回路９２は、バス６０を介して制御部１０に接続され、また、光変調装置８２が接続される。光変調装置駆動回路９２は、制御部１０の制御に従って、光変調装置８２を駆動し、光変調装置８２が具備する光変調素子にフレーム単位で画像を描画する。光変調装置駆動回路９２には、画像処理部４０からＲ、Ｇ、Ｂの各原色に対応する画像データが入力される。光変調装置駆動回路９２は、入力された画像データを、光変調装置８２が具備する光変調素子である液晶パネルの動作に適したデータ信号に変換する。光変調装置駆動回路９２は、変換したデータ信号に基づいて、各液晶パネルの各画素に電圧を印加し、各液晶パネルに画像を描画する。
【００３４】
図２は、光源部８１の構成を示す図である。
図２に示すように、光源部８１は、アレイ光源８１１と、コリメーター光学系８１２と、アフォーカル光学系８１３と、第１位相差板８１４と、ホモジナイザー光学系８１５と、偏光分離素子８１６１を含むプリズム８１６と、第１ピックアップ光学系８１７と、蛍光素子８１８と、第２位相差板８１９、第２ピックアップ光学系８２０と、拡散反射素子８２１と、インテグレータ光学系８２２と、偏光変換素子８２３と、重畳レンズ８２４と、センサー用ミラー８２５と、センサーユニット８２６とを有する。
なお、第１位相差板８１４は、調整部の一例に対応する。また、センサーユニット８２６は、センサーの一例に対応する。
【００３５】
アレイ光源８１１と、コリメーター光学系８１２と、アフォーカル光学系８１３と、第１位相差板８１４と、ホモジナイザー光学系８１５と、プリズム８１６と、第２位相差板８１９と、第２ピックアップ光学系８２０と、拡散反射素子８２１とは、それぞれの光学中心を図２中に示す光軸ＡＸ１に一致させた状態で並んで配される。
【００３６】
蛍光素子８１８と、第１ピックアップ光学系８１７と、プリズム８１６と、インテグレータ光学系８２２と、偏光変換素子８２３と、重畳レンズ８２４とは、それぞれの光学中心を図２中に示す光軸ＡＸ２に一致させた状態で並んで配される。
なお、光軸ＡＸ１と光軸ＡＸ２とは、同一仮想面内にあり、互いに直交する位置関係にある。
【００３７】
アレイ光源８１１は、複数のレーザーダイオード８１１１を有する。複数のレーザーダイオード８１１１は、光軸ＡＸ１と直交する面８１１２において、アレイ状に並んで配される。なお、アレイ光源８１１を構成するレーザーダイオード８１１１の個数は特に限定されない。
【００３８】
各レーザーダイオード８１１１は、例えばピーク波長が４４６ｎｍの青色光ＢＬを発する。青色光ＢＬは、アレイ光源８１１からコリメーター光学系８１２に向けて射出される。
【００３９】
アレイ光源８１１から射出された青色光ＢＬは、コリメーター光学系８１２に入射する。コリメーター光学系８１２は、アレイ光源８１１から射出された青色光ＢＬの光束を平行光束に変換する。コリメーター光学系８１２は、図２に示すように、例えばアレイ状に並んで配置された複数のコリメーターレンズ８１２１で構成される。なお、複数のコリメーターレンズ８１２１は、複数のレーザーダイオード８１１１のそれぞれに対応するように配される。
【００４０】
コリメーター光学系８１２によって平行光束に変換された青色光ＢＬは、アフォーカル光学系８１３に入射する。アフォーカル光学系８１３は、青色光ＢＬの光束径を調整する。アフォーカル光学系８１３は、例えば図２に示すように２枚のアフォーカルレンズ８１３１から構成される。
【００４１】
アフォーカル光学系８１３によって光束径が調整された青色光ＢＬは、第１位相差板８１４に入射する。第１位相差板８１４は、ステッピングモーター８１４１が接続され、ステッピングモーター８１４１の駆動によって、アフォーカル光学系８１３から入射される青色光ＢＬの光軸と平行な軸の周りに回転可能である。第１位相差板８１４は、アフォーカル光学系８１３から入射された青色光ＢＬを、第１位相差板８１４の回転角に応じた割合でＰ偏光成分ＢＬｐ及びＳ偏光成分ＢＬｓが混在した青色光ＢＬに変換する。
【００４２】
第１位相差板８１４から射出された青色光ＢＬは、ホモジナイザー光学系８１５に入射する。ホモジナイザー光学系８１５は、例えば２枚のマルチレンズアレイ８１５１から構成される。
【００４３】
ホモジナイザー光学系８１５から射出された青色光ＢＬは、プリズム８１６に入射する。プリズム８１６は、例えば波長選択性を有するダイクロイックプリズムで構成される。プリズム８１６は、光軸ＡＸ１に対して４５°の角度をなす傾斜面Ｋを有する。傾斜面Ｋは、光軸ＡＸ２に対しても４５°の角度をなしている。プリズム８１６は、互いに直交する光軸ＡＸ１、ＡＸ２の交点と傾斜面Ｋの光学中心とが一致するように配される。なお、プリズム８１６は、ダイクロイックプリズムに代えて、平行平板状のダイクロイックミラーでもよい。
【００４４】
傾斜面Ｋには、波長選択性を有する偏光分離素子８１６１が設けられる。偏光分離素子８１６１は、ホモジナイザー光学系８１５から射出された青色光ＢＬを、Ｓ偏光成分ＢＬｓとＰ偏光成分ＢＬｐとに分離する。具体的に、偏光分離素子８１６１は、青色光ＢＬのＳ偏光成分ＢＬｓを反射させ、青色光ＢＬのＰ偏光成分ＢＬｐを透過させることによって分離する。
【００４５】
偏光分離素子８１６１で反射されたＳ偏光成分ＢＬｓの青色光ＢＬは、第１ピックアップ光学系８１７に入射する。第１ピックアップ光学系８１７は、偏光分離素子８１６１から入射されるＳ偏光成分ＢＬｓの青色光ＢＬを、蛍光素子８１８の蛍光体層８１８１に向けて集光させる。第１ピックアップ光学系８１７は、例えば２枚のピックアップレンズ８１７１から構成される。
【００４６】
第１ピックアップ光学系８１７から射出されたＳ偏光成分ＢＬｓの青色光ＢＬは、蛍光素子８１８に入射する。蛍光素子８１８は、蛍光体層８１８１と、蛍光体層８１８１を支持する基板８１８２とを有する。蛍光体層８１８１にＳ偏光成分ＢＬｓの青色光ＢＬが入射することによって蛍光体層８１８１に含まれる蛍光体が励起され、蛍光体層８１８１は、Ｓ偏光成分ＢＬｓとは波長が異なる黄色の蛍光光ＹＬを生成する。
【００４７】
蛍光素子８１８において、蛍光体層８１８１は、Ｓ偏光成分ＢＬｓの青色光ＢＬが入射される面と反対側の面を基板８１８２に接触させた状態で基板８１８２に固定される。なお、基板８１８２の蛍光体層８１８１が設けられた側と反対側の面には、蛍光体層８１８１の熱を放散させるためのヒートシンク８１８３が設けられる。
【００４８】
蛍光体層８１８１から射出された蛍光光ＹＬは、偏光方向が揃っていない非偏光光のため、第１ピックアップ光学系８１７を通過した後、非偏光の状態のままで偏光分離素子８１６１に入射する。蛍光光ＹＬは、偏光分離素子８１６１を透過し、インテグレータ光学系８２２に向けて進む。
【００４９】
一方、偏光分離素子８１６１を透過したＰ偏光成分ＢＬｐの青色光ＢＬは、第２位相差板８１９に入射する。
【００５０】
第２位相差板８１９は、偏光分離素子８１６１から射出されたＰ偏光成分ＢＬｐの青色光ＢＬを円偏光の青色光ＢＬに変換し、円偏光の青色光ＢＬを第２ピックアップ光学系８２０に入射する。
【００５１】
第２ピックアップ光学系８２０は、円偏光の青色光ＢＬを拡散反射素子８２１に向けて集光させる。第２ピックアップ光学系８２０は、例えば２枚のピックアップレンズ８２０１から構成される。
【００５２】
拡散反射素子８２１は、第２ピックアップ光学系８２０から射出された青色光ＢＬを偏光分離素子８１６１に向けて拡散反射させる。拡散反射素子８２１で拡散反射された円偏光の青色光ＢＬは、再度、第２位相差板８１９に入射する。これによって、円偏光の青色光ＢＬは、Ｓ偏光の青色光ＢＬに変換される。偏光分離素子８１６１には、第２位相差板８１９からＳ偏光の青色光ＢＬが入射される。第２位相差板８１９から射出されたＳ偏光の青色光ＢＬは、偏光分離素子８１６１で反射し、インテグレータ光学系８２２に向けて進む。
【００５３】
このようにして、偏光分離素子８１６１からは、同一方向に向けてＳ偏光の青色光ＢＬと蛍光光ＹＬとが射出される。すなわち、偏光分離素子８１６１からは、青色光ＢＬと黄色の蛍光光ＹＬとが合成された白色の合成光ＷＬが射出される。
【００５４】
偏光分離素子８１６１から射出された合成光ＷＬは、インテグレータ光学系８２２に入射する。インテグレータ光学系８２２は、合成光ＷＬを複数の小光束に分割する。インテグレータ光学系８２２は、例えば、２枚のレンズアレイ８２２１から構成される。なお、レンズアレイ８２２１は、複数のマイクロレンズがアレイ状に配列されたレンズである。
【００５５】
インテグレータ光学系８２２から射出された合成光ＷＬは、偏光変換素子８２３に入射する。偏光変換素子８２３は、合成光ＷＬの偏光方向を揃える素子である。偏光変換素子８２３は、例えば、偏光分離膜と位相差板とミラーとから構成される。偏光変換素子８２３は、非偏光である蛍光光ＹＬの偏光方向とＳ偏光の青色光ＢＬの偏光方向とを揃える。
【００５６】
インテグレータ光学系８２２と偏光変換素子８２３との間の光路には、センサー用ミラー８２５が設けられる。センサー用ミラー８２５は、光軸ＡＸ２に対して４５°の角度をなすように配される。センサー用ミラー８２５は、入射した合成光ＷＬの一部を反射する。センサー用ミラー８２５を透過した合成光ＷＬは、偏光変換素子８２３に入射し、センサー用ミラー８２５で反射した合成光ＷＬは、センサーユニット８２６に入射する。
【００５７】
偏光変換素子８２３によって偏光方向が揃った合成光ＷＬは、重畳レンズ８２４に入射する。重畳レンズ８２４は、偏光変換素子８２３から射出された複数の小光束を射出対象において互いに重畳させる。
【００５８】
センサーユニット８２６は、青色光ＢＬの強度を測定する青色光用センサーと、黄色の蛍光光ＹＬの強度を測定する黄色光用センサーと、青色光ＢＬと黄色の蛍光光ＹＬとを分離するダイクロイックミラーと、を有する。センサー用ミラー８２５で反射した合成光ＷＬは、センサーユニット８２６に入射し、ダイクロイックミラーにより青色光ＢＬと黄色の蛍光光ＹＬとに分離される。分離された青色光ＢＬは、青色光用センサーにより強度が測定される。また、分離された黄色の蛍光光ＹＬは、黄色光用センサーにより強度が測定される。青色光ＢＬと黄色の蛍光光ＹＬとの強度の測定結果は、光源駆動回路９１を介して制御部１０に出力される。
【００５９】
図１を参照して、光変調装置８２は、例えば、Ｒ、Ｇ、及び、Ｂの三原色に対応した３枚の液晶パネルを備える。Ｒは赤色を示し、Ｇは緑色を示し、Ｂは青色を示す。光源部８１から射出される合成光ＷＬは、ＲＧＢの３色の色光に分離され、それぞれ対応する液晶パネルに入射される。３枚の液晶パネルの各々は、透過型の液晶パネルであり、透過する光を変調して画像光を生成する。各液晶パネルを通過して変調された画像光は、クロスダイクロイックプリズム等の合成光学系によって合成され、投射光学系８３に射出される。
本実施形態では、光変調装置８２が光変調素子として透過型の液晶パネルを備える場合を例示するが、光変調素子は反射型の液晶パネルであってもよいし、デジタルミラーデバイス（Ｄｉｇｉｔａｌ  Ｍｉｃｒｏｍｉｒｒｏｒ  Ｄｅｖｉｃｅ）でもよい。
【００６０】
投射光学系８３は、光変調装置８２により変調された画像光をスクリーンＳＣ上に結像させるレンズやミラー等を備える。投射光学系８３は、スクリーンＳＣに投射される画像を拡大又は縮小させるズーム機構や、フォーカスの調整を行うフォーカス調整機構等を備えてもよい。
【００６１】
次に、プロセッサー１１０の機能ブロックについて説明する。
投射制御部１１１は、光源駆動回路９１、及び、光変調装置駆動回路９２を制御して、光源駆動回路９１によって光源部８１を点灯させ、光変調装置駆動回路９２により光変調装置８２を駆動させ、投射部８０により画像を投射させる。また、投射制御部１１１は、画像処理部４０を制御して、インターフェース部２０に入力される画像データに対する画像処理を実行させ、光変調装置駆動回路９２に画像処理後の画像データを光変調装置８２に出力させる。
【００６２】
電力制御部１１２は、光源駆動回路９１に、アレイ光源８１１へ出力するパルス信号のデューティー比を変更させることによって、アレイ光源８１１へ供給する電力を調整する。
【００６３】
ホワイトバランス制御部１１３は、光源駆動回路９１により光源部８１のステッピングモーター８１４１を駆動させ、第１位相差板８１４の回転角度を制御する。前述した通り、アレイ光源８１１が発する青色光ＢＬは、第１位相差板８１４の回転角度に応じた割合で、Ｐ偏光成分ＢＬｐ及びＳ偏光成分ＢＬｓが混在した青色光ＢＬに変換される。そのため、ホワイトバランス制御部１１３は、第１位相差板８１４の回転角度を制御することで、合成光ＷＬに含まれる青色光ＢＬと蛍光光ＹＬとの強度の比を調整して合成光ＷＬのホワイトバランスを調整する。
【００６４】
次に、電力制御部１１２の動作について詳細に説明する。
図３は、電力制御部１１２の動作を示すフローチャートである。
【００６５】
電力制御部１１２は、アレイ光源８１１に供給する電力を調整する周期が到来したか否かを判別する（ステップＳＡ１）。電力制御部１１２は、当該周期が到来していないと判別した場合（ステップＳＡ１：ＮＯ）、再度、ステップＳＡ１の処理を実行する。
【００６６】
一方で、電力制御部１１２は、アレイ光源８１１に供給する電力を調整する周期が到来したと判別した場合（ステップＳＡ１：ＹＥＳ）、以下に示す式（１）によって累積光量を算出する（ステップＳＡ２）。累積光量とは、プロジェクター１の製造出荷後において光源部８１が発した光の通算の光量を示す。
【００６７】
Ｌｔ（ｔ（ｎ））＝Ｌｔ（ｔ（ｎ−１））＋Ｌｉ（ｔ（ｎ））×（ｔ（ｎ）−ｔ（ｎ−１））・・・（１）
式（１）において、ｔ（ｎ）は、プロジェクター１の製造出荷後における光源部８１の使用時間であって、今回の累積光量を算出する周期を示す。ｎは１以上の自然数である。また、ｔ（ｎ−１）は、プロジェクター１の製造出荷後における光源部８１の使用時間であって、前回の累積光量を算出した周期を示す。また、Ｌｔ（ｔ（ｎ））は、ｔ（ｎ）における累積光量を示す。Ｌｔ（ｔ（ｎ−１））は、ｔ（ｎ−１）において算出された累積光量を示す。Ｌｉ（ｔ（ｎ））は、ｔ（ｎ）における光源部８１が発する光の明るさを示す値である。
【００６８】
ステップＳＡ２において、電力制御部１１２は、まず、Ｌｉ（ｔ（ｎ））を取得する。例えば、電力制御部１１２は、設定データ１２２を参照して、光源部８１の明るさを示す設定値をＬｉ（ｔ（ｎ））として取得する。なお、電力制御部１１２は、設定データ１２２の設定値の代わりに、図示せぬ検出手段によって検出した光源部８１の明るさをＬｉ（ｔ（ｎ））として取得してもよいし、アレイ光源８１１に供給している電力をＬｉ（ｔ（ｎ））として取得してもよい。次いで、電力制御部１１２は、Ｌｉ（ｔ（ｎ））を取得すると、Ｌｔ（ｔ（ｎ−１））を記憶部１２０から取得する。なお、Ｌｔ（ｔ（ｎ−１））は、記憶部１２０に記憶されている。そして、取得したＬｉ（ｔ（ｎ））、及び、Ｌｔ（ｔ（ｎ−１））を式（１）に代入して、電力制御部１１２は、今回の周期における累積光量を算出する。
【００６９】
電力制御部１１２は、ステップＳＡ２で算出した累積光量が第１閾値ｔｈ１以下であるか否かを判別する（ステップＳＡ３）。第１閾値ｔｈ１は、後述する第２閾値ｔｈ２、及び第３閾値ｔｈ３より小さい閾値である。
【００７０】
電力制御部１１２は、ステップＳＡ２で算出した累積光量が第１閾値ｔｈ１以下であると判別した場合（ステップＳＡ３：ＹＥＳ）、光源駆動回路９１を制御して、アレイ光源８１１に供給する電力を、前回の周期で調整した電力より大きい電力へ調整する（ステップＳＡ４）。具体的には、電力制御部１１２は、光源駆動回路９１に、アレイ光源８１１に出力するパルス信号の点灯時間の時間幅を前回の周期で調整した時間幅より長く設定させる。
【００７１】
一方、電力制御部１１２は、ステップＳＡ２で算出した累積光量が第１閾値ｔｈ１を上回ると判別した場合（ステップＳＡ３：ＮＯ）、ステップＳＡ２で算出した累積光量が第２閾値ｔｈ２以下であるか否かを判別する（ステップＳＡ５）。第２閾値ｔｈ２は、第１閾値ｔｈ１より大きい閾値であって、且つ、後述する第３閾値ｔｈ３より小さい閾値である。
【００７２】
電力制御部１１２は、ステップＳＡ２で算出した累積光量が第２閾値ｔｈ２以下であると判別した場合（ステップＳＡ５：ＹＥＳ）、アレイ光源８１１に供給する電力を第１電力Ｗ１に調整する（ステップＳＡ６）。具体的には、電力制御部１１２は、光源駆動回路９１に、アレイ光源８１１に出力するパルス信号の点灯時間の時間幅を第１電力Ｗ１に対応する時間幅に設定させる。なお、第１電力Ｗ１は、後述する第２電力Ｗ２より大きい電力である。
【００７３】
一方、電力制御部１１２は、ステップＳＡ２で算出した累積光量が第２閾値ｔｈ２を上回ると判別した場合（ステップＳＡ５：ＮＯ）、ステップＳＡ１で算出した累積光量が第３閾値ｔｈ３以下であるか否かを判別する（ステップＳＡ７）。第３閾値ｔｈ３は、第１閾値ｔｈ１、及び、第２閾値ｔｈ２より大きい閾値である。
【００７４】
電力制御部１１２は、ステップＳＡ２で算出した累積光量が第３閾値ｔｈ３以下であると判別した場合（ステップＳＡ７：ＹＥＳ）、光源駆動回路９１を制御して、アレイ光源８１１に供給する電力を、前回の周期で調整した電力より小さい電力に調整する（ステップＳＡ８）。具体的には、電力制御部１１２は、光源駆動回路９１に、アレイ光源８１１に出力するパルス信号の点灯時間の時間幅を、前回の周期で調整した時間幅より短く設定させる。
【００７５】
電力制御部１１２は、ステップＳＡ２で算出した累積光量が第３閾値ｔｈ３を上回ると判別した場合（ステップＳＡ７：ＮＯ）、アレイ光源８１１に供給する電力を第２電力Ｗ２に調整する（ステップＳＡ９）。具体的には、電力制御部１１２は、光源駆動回路９１に、アレイ光源８１１に出力するパルス信号の点灯時間の時間幅を、第２電力Ｗ２に対応する時間幅に設定させる。なお、第２電力Ｗ２は、第１電力Ｗ１より小さい電力である。
【００７６】
図４は、累積光量と光源部８１に供給する電力との関係を示す図表である。
図４において、横軸は累積光量を示し、縦軸はアレイ光源８１１に供給する電力を示す。
【００７７】
電力制御部１１２は、図４に示すように、累積光量が第１閾値ｔｈ１以下である場合、累積光量の増加に比例してアレイ光源８１１に供給する電力を増加させる。プロジェクター１では、製造出荷後における通算の使用時間が比較的短い期間、いわゆるプロジェクター１の使用初期において、所定の要因によりアレイ光源８１１が発する光の光量が低下し得る。そこで、電力制御部１１２は、累積光量が第１閾値ｔｈ１以下である場合、累積光量の増加に比例してアレイ光源８１１に供給する電力を増加させる。そのため、電力制御部１１２は、プロジェクター１を使用初期に生じ得るアレイ光源８１１の発光光量の低下を抑制することができる。なお、第１閾値ｔｈ１は、プロジェクター１の使用初期においてアレイ光源８１１の発光光量の低下し得ることに基づき、事前のテストやシミュレーション等によって適切に予め定められている。
【００７８】
なお、図４は、累積光量が第１閾値ｔｈ１以下である場合において累積光量の増加に比例してアレイ光源８１１に供給する電力を増加させる場合を例示している。しかしながら、アレイ光源８１１に供給する電力の増加態様は、累積光量の増加に比例した態様に限定されない。
【００７９】
また、電力制御部１１２は、図４に示すように、累積光量が第２閾値ｔｈ２より大きく第３閾値ｔｈ３以下である場合、累積光量の増加に比例してアレイ光源８１１に供給する電力を低下させる。これにより、光源部８１を構成する各部の劣化の進行を抑制し、光源部８１の寿命を長くすることができる。特に、電力制御部１１２は、蛍光素子８１８の寿命を長くすることができる。なお、第２閾値ｔｈ２は、光源部８１の寿命を長くする観点に基づき、事前のテストやシミュレーション等によって予め適切に定められている。
【００８０】
なお、図４は、累積光量が第２閾値ｔｈ２より大きく第３閾値ｔｈ３以下である場合において累積光量の増加に比例してアレイ光源８１１に供給する電力を低下させる場合を例示している。しかしながら、アレイ光源８１１に供給する電力の低下態様は、累積光量の増加に比例した態様に限定されない。
【００８１】
また、電力制御部１１２は、図４に示すように、累積光量が第１閾値ｔｈ１より大きく第２閾値ｔｈ２以下である場合、アレイ光源８１１に供給する電力を、累積光量の増加に依ることなく第１電力Ｗ１に維持するよう調整する。これにより、電力制御部１１２は、安定した明るさで光源部８１を発光させることができる。
【００８２】
また、電力制御部１１２は、図４に示すように、累積光量が第３閾値ｔｈ３より大きく場合、アレイ光源８１１に供給する電力を、累積光量の増加に依ることなく第２電力Ｗ２に維持するよう調整する。前述した通り、第２電力Ｗ２は、第１電力Ｗ１より小さい電力である。したがって、電力制御部１１２は、累積光量が第３閾値ｔｈ３より大きい場合、光源部８１の寿命の長期化を図りつつ、安定した明るさで光源部８１を発光させることができる。
【００８３】
このように、電力制御部１１２は、累積光量に応じてアレイ光源８１１に供給する電力を調整する。累積光量は、光源部８１の明るさによって変化すると共に、光源部８１の使用時間によっても変化する。したがって、電力制御部１１２が累積光量に応じてアレイ光源８１１に供給する電力を調整することは、光源部８１の使用時間に応じてアレイ光源８１１に供給する電力を調整することに相当する。
【００８４】
電力制御部１１２がアレイ光源８１１に供給する電力を変化させると、合成光ＷＬのホワイトバランスは変化する。
例えば、光源部８１に供給する電力が低下するとアレイ光源８１１が発する光の明るさが低下する。すると、この低下に伴って、蛍光素子８１８に入射するＳ偏光成分ＢＬｓの青色光ＢＬの光量と、偏光分離素子８１６１を透過したＰ偏光成分ＢＬｐの青色光ＢＬの光量とは、同じ比率で低下する。しかしながら、蛍光素子８１８から射出される蛍光光ＹＬの光量は、蛍光素子８１８に入射するＳ偏光成分ＢＬｓの青色光ＢＬの光量低下量に比べて低下しない。そのため、合成光ＷＬに含まれる青色光ＢＬの強度と蛍光光ＹＬの強度との比が変化し、合成光ＷＬのホワイトバランスは変化する。ここでの例では、アレイ光源８１１が発する光の明るさが低下した場合であるが、アレイ光源８１１が発する光の明るさが上昇した場合も同様に合成光ＷＬのホワイトバランスが変化する。
【００８５】
そこで、ホワイトバランス制御部１１３は、センサーユニット８２６の検出結果に基づく合成光ＷＬのホワイトバランスの調整動作、及び、電力制御部１１２の電力調整に基づく合成光ＷＬのホワイトバランスの調整動作を、並行して実行する。以下の説明では、前者の調整動作を、第１ホワイトバランス調整動作といい、後者の調整動作を、第２ホワイトバランス調整動作という。
【００８６】
＜第１ホワイトバランス調整動作＞
まず、第１ホワイトバランス調整動作について説明する。
ホワイトバランス制御部１１３は、第１ホワイトバランス調整動作を実行する周期が到来したか否かを判別する。ホワイトバランス制御部１１３は、当該周期が到来したと判別した場合、センサーユニット８２６からの測定結果に基づいて、現在の合成光ＷＬに含まれる青色光ＢＬの強度と蛍光光ＹＬの強度との比を算出する。以下の説明では、合成光ＷＬに含まれる青色光ＢＬの強度と蛍光光ＹＬの強度との比を、「ＢＬ／ＹＬ比」という。
【００８７】
次いで、ホワイトバランス制御部１１３は、算出したＢＬ／ＹＬ比と、予め定められた目標のＢＬ／ＹＬ比と、を比較する。なお、予め定められた目標のＢＬ／ＹＬ比は、事前のテストやシミュレーション等によって求められ、予め記憶部１２０に記憶されている。
【００８８】
ホワイトバランス制御部１１３は、比較した結果、ＢＬ／ＹＬ比の差が許容範囲を超えている場合、現在のＢＬ／ＹＬ比を、予め定められた目標のＢＬ／ＹＬ比となるように、第１位相差板８１４を回転させる。具体的には、ホワイトバランス制御部１１３は、ＢＬ／ＹＬ比の差が許容範囲を超えていると判別した場合、ＢＬ／ＹＬ比の差に対応する第１位相差板８１４の回転角度を決定する。記憶部１２０には、ＢＬ／ＹＬ比の差ごとに、ＢＬ／ＹＬ比を示す情報と、第１位相差板８１４の回転角度を示す情報とが対応付いたテーブルが記憶されている。このテーブルには、ＢＬ／ＹＬ比の差ごとに、現在のＢＬ／ＹＬ比と予め定められた目標のＢＬ／ＹＬ比と差が０になる第１位相差板８１４の回転角度が、情報として格納されている。このテーブルは、事前のテストやシミュレーション等によって適切に定められている。ホワイトバランス制御部１１３は、このテーブルを参照して、ＢＬ／ＹＬ比の差に対応する第１位相差板８１４の回転角度を決定する。ホワイトバランス制御部１１３は、光源駆動回路９１を制御して、第１位相差板８１４の回転角度が決定した回転角度となるようにステッピングモーター８１４１を駆動させて、第１位相差板８１４を回転させる。
【００８９】
このように、ホワイトバランス制御部１１３は、第１ホワイトバランス調整動作を実行することにより、合成光ＷＬが含む青色光ＢＬと蛍光光ＹＬとの強度の実測値に基づいて合成光ＷＬのホワイトバランスを調整する。そのため、ホワイトバランス制御部１１３は、アレイ光源８１１に供給される電力の調整によって光源部８１が発する光のホワイトバランスが変化することを抑制できる。例えば、予め定められた目標のＢＬ／ＹＬ比が、アレイ光源８１１に第１電力Ｗ１を供給した場合のＢＬ／ＹＬ比であるとする。この場合、ホワイトバランス制御部１１３は、第１ホワイトバランス調整動作によって、光源部８１が発する光のホワイトバランスが、アレイ光源８１１に第１電力Ｗ１を供給した場合のホワイトバランスから変化することを抑制できる。
【００９０】
＜第２ホワイトバランス調整動作＞
次に、第２ホワイトバランス調整動作について説明する。
図５は、第２ホワイトバランス調整動作におけるホワイトバランス制御部１１３の動作を示すフローチャートである。
【００９１】
ホワイトバランス制御部１１３は、電力制御部１１２がアレイ光源８１１に供給する電力を調整したか否かを判別する（ステップＳＢ１）。すなわち、ホワイトバランス制御部１１３は、電力制御部１１２が図３に示すフローチャートにおいてステップＳＡ１で肯定判別し、ステップＳＡ１以降の処理を実行したか否かを判別する。
【００９２】
ホワイトバランス制御部１１３は、電力制御部１１２がアレイ光源８１１に供給する電力を調整していないと判別した場合（ステップＳＢ１：ＮＯ）、再度、ステップＳＢ１の処理を実行する。
【００９３】
一方、ホワイトバランス制御部１１３は、電力制御部１１２がアレイ光源８１１に供給する電力を調整したと判別した場合（ステップＳＢ１：ＹＥＳ）、第１対応テーブル１２３からＢＬ／ＹＬ比の変化比率を求める（ステップＳＢ２）。
【００９４】
第１対応テーブル１２３は、アレイ光源８１１に供給可能な電力ごとに、電力を示す情報と、ＢＬ／ＹＬ比の変化比率とが対応付いたテーブルである。本実施形態の第１対応テーブル１２３が格納するＢＬ／ＹＬ比の変化比率は、第１位相差板８１４の回転角度をプロジェクター１の製造出荷時の回転角度とした状態で、以下の式（２）に基づき算出される。
【００９５】
ＢＬ／ＹＬ比の変化比率＝（ＢＬ−Ｗ１／ＹＬ−Ｗ１）／（ＢＬ−ｎ／ＹＬ−ｎ）・・・（２）
式（２）において、「ＢＬ−Ｗ１」はアレイ光源８１１に第１電力Ｗ１を供給した場合の合成光ＷＬに含まれる青色光ＢＬの強度の実測値を示す。また、「ＹＬ−Ｗ１」は、アレイ光源８１１に第１電力Ｗ１を供給した場合の合成光ＷＬに含まれる蛍光光ＹＬの強度の実測値を示す。また、「ＢＬ−ｎ」は、アレイ光源８１１に供給可能な任意の電力をアレイ光源８１１に供給した場合の合成光ＷＬに含まれる青色光ＢＬの強度の実測値を示す。また、「ＹＬ−ｎ」は、アレイ光源８１１に供給可能な任意の電力をアレイ光源８１１に供給した場合の合成光ＷＬに含まれる蛍光光ＹＬの強度の実測値を示す。
【００９６】
すなわち、本実施形態の第１対応テーブル１２３に格納されるＢＬ／ＹＬ比の変化比率は、アレイ光源８１１に第１電力Ｗ１を供給した場合のＢＬ／ＹＬ比に対する、アレイ光源８１１に任意の電力を供給した場合のＢＬ／ＹＬ比の比率を示す。そのため、式（２）によって作成される第１対応テーブル１２３は、アレイ光源８１１に供給する電力と、合成光ＷＬのホワイトバランスの変化の実測値との相関を示すテーブルとなる。
【００９７】
ステップＳＢ２において、ホワイトバランス制御部１１３は、第１対応テーブル１２３から、電力制御部１１２が調整した電力に対応するＢＬ／ＹＬ比の変化比率を求める。
【００９８】
次いで、ホワイトバランス制御部１１３は、ＢＬ／ＹＬ比の変化比率を取得すると、取得したＢＬ／ＹＬ比の変化比率に基づいて第２対応テーブル１２４から、第１位相差板８１４の回転角度を求める（ステップＳＢ３）。
【００９９】
第２対応テーブル１２４は、ＢＬ／ＹＬ比の変化比率と、第１位相差板８１４の回転角度を示す情報とが対応付いたテーブルである。
本実施形態の第２対応テーブル１２４に格納される第１位相差板８１４の回転角度は、アレイ光源８１１に供給される電力に依ることなく、ＢＬ／ＹＬ比を、アレイ光源８１１に第１電力Ｗ１を供給した場合のＢＬ／ＹＬ比に調整できる回転角度である。つまり、本実施形態の第２対応テーブル１２４に格納される第１位相差板８１４の回転角度は、アレイ光源８１１に供給される電力に依ることなく、合成光ＷＬのホワイトバランスを、アレイ光源８１１に第１電力Ｗ１を供給した場合の合成光ＷＬのホワイトバランスに調整できる回転角度である。第２対応テーブル１２４に格納される第１位相差板８１４の回転角度は、ホワイトバランスの調整パラメーターの一例に対応する。
【０１００】
第２対応テーブル１２４に格納される第１位相差板８１４の回転角度は、以下の式（３）、及び、上記式（２）に基づいて決定される。
【０１０１】
ＢＬ／ＹＬ比の変化比率＝（ＢＬ−ＲＡ−ＳＨ／ＹＬ−ＲＡ−ＳＨ）／（ＢＬ−ＲＡ−ｎ／ＹＬ−ＲＡ−ｎ）・・・（３）
式（３）において、「ＢＬ−ＲＡ−ＳＨ」は、第１位相差板８１４の回転角度がプロジェクター１の製造出荷時の回転角度である場合の合成光ＷＬに含まれる青色光ＢＬの強度の実測値を示す。また、「ＹＬ−ＲＡ−ＳＨ」は、第１位相差板８１４の回転角度がプロジェクター１の製造出荷時の回転角度である場合の合成光ＷＬに含まれる蛍光光ＹＬの強度の実測値を示す。また、「ＢＬ−ＲＡ−ｎ」は、第１位相差板８１４の回転角度がプロジェクター１の製造出荷時の回転角度に対して任意の回転角度である場合の合成光ＷＬに含まれる青色光ＢＬの強度の実測値である。また、「ＹＬ−ＲＡ−ｎ」は、第１位相差板８１４の回転角度がプロジェクター１の製造出荷時の回転角度に対して任意の回転角度である場合の合成光ＷＬに含まれる蛍光光ＹＬの強度の実測値である。
【０１０２】
ホワイトバランス制御部１１３は、ステップＳＢ３において、第２対応テーブル１２４からステップＳＢ２で決定したＢＬ／ＹＬ比の変化比率に対応する第１位相差板８１４の回転角度を決定する。第２対応テーブル１２４からステップＳＢ２で決定したＢＬ／ＹＬ比の変化比率に対応する第１位相差板８１４の回転角度を決定することで、式（３）の左辺と式（２）の左辺とが等しくなる場合の第１位相差板８１４の回転角度を求めることができる。これにより、式（３）の左辺と式（２）の左辺とが等しくなる場合の第１位相差板８１４の回転角度を求めることにより、任意の電力をアレイ光源８１１に供給した場合においてＢＬ／ＹＬ比の変化比率を「１」にする第１位相差板８１４の回転角度を求めることができる。
【０１０３】
次いで、ホワイトバランス制御部１１３は、第１位相差板８１４の回転角度をステップＳＢ３で決定した回転角度となるように、光源駆動回路９１を制御してステッピングモーター８１４１を駆動させ、第１位相差板８１４を回転させる（ステップＳＢ４）。
【０１０４】
本実施形態では、ホワイトバランス制御部１１３は、第１対応テーブル１２３、及び、第２対応テーブル１２４を参照して、第１位相差板８１４の回転角度を決定し、第１位相差板８１４を決定した回転角度にすることで、光源部８１に供給する電力によることなく、ＢＬ／ＹＬ比を、アレイ光源８１１に第１電力Ｗ１を供給した場合のＢＬ／ＹＬ比に調整できる。つまり、本実施形態では、ホワイトバランス制御部１１３は、電力制御部１１２がアレイ光源８１１に供給する電力を調整しても、光源部８１が発する光のホワイトバランスが、アレイ光源８１１に第１電力Ｗ１を供給した場合のホワイトバランスから変化することを抑制できる。したがって、電力制御部１１２が図４に示すように累積光量に応じて電力を調整しても、ホワイトバランス制御部１１３は、光源部８１が発する光のホワイトバランスが、アレイ光源８１１に第１電力Ｗ１を供給した場合のホワイトバランスから変化することを抑制できる。
【０１０５】
なお、上記の第２ホワイトバランス調整動作の説明では、光源部８１が発する光のホワイトバランスを、アレイ光源８１１に第１電力Ｗ１を供給した場合のホワイトバランスに調整する場合を例示した。しかしながら、第２ホワイトバランス調整動作は、光源部８１が発する光のホワイトバランスをこのホワイトバランスに調整する動作に限定されず、ＢＬ／ＹＬ比の変化比率に基づいて所望のホワイトバランスに調整する動作としてもよい。この場合、第１対応テーブル１２３に格納されるＢＬ／ＹＬ比の変化比率は、アレイ光源８１１に供給可能な所望の電力をアレイ光源８１１に供給した場合のＢＬ／ＹＬ比の実測値が、右辺の分子に代入された式（２）によって、決定される。また、第２対応テーブル１２４には、アレイ光源８１１に供給される電力に依ることなく、合成光ＷＬのホワイトバランスを、アレイ光源８１１に所望の電力を供給した場合の合成光ＷＬのホワイトバランスに調整する第１位相差板８１４の回転角度が、情報として格納される。
【０１０６】
上述した実施形態では、光源駆動回路９１が電源部７０から供給された電力に基づいてＰＷＭ制御で光源部８１のアレイ光源８１１に電力を供給する構成を例示した。しかしながら、光源駆動回路９１は、電源部７０から供給された電力に基づいて、電流制御で光源部８１のアレイ光源８１１に電力を供給する構成でもよい。この場合、光源駆動回路９１は、アレイ光源８１１に供給する電流値を変更してアレイ光源８１１に供給する電力を変更し、光源部８１が発する光の光量を変更する。また、この構成の場合、電力制御部１１２は、アレイ光源８１１へ供給する電力が累積光量に応じて図４に示す電力となるように、光源駆動回路９１に、アレイ光源８１１に供給する電流値を変更させる。
【０１０７】
以上、説明したように、光源部８１が発する光を変調して画像を投射するプロジェクター１は、アレイ光源８１１、及び、第１位相差板８１４を有する光源部８１と、光源部８１の使用時間に応じてアレイ光源８１１に供給する電力を調整する電力制御部１１２と、電力制御部１１２の調整に対応する第１位相差板８１４の回転角度を求め、求めた第１位相差板８１４の回転角度に基づいて第１位相差板８１４にホワイトバランスを調整させるホワイトバランス制御部１１３と、を備える。
【０１０８】
この構成によれば、合成光ＷＬのホワイトバランスを電力制御部１１２の調整に対応するホワイトバランスに調整できるようになるため、アレイ光源８１１に供給する電力の調整によって光源部８１が発する光のホワイトバランスが変化することを抑制できる。
【０１０９】
電力制御部１１２は、光源部８１が発した光の明るさを示す値で重み付けを行った光源部８１の使用時間に応じて、アレイ光源８１１に供給する電力を調整する。
【０１１０】
この構成によれば、光源部８１の使用時間においてどの程度の累積光量の光をアレイ光源８１１が発したかに基づいてホワイトバランスを調整できるようになり、光源部８１が発する光のホワイトバランスが変化することをより精度良く抑制できる。
【０１１１】
電力制御部１１２は、ＰＷＭ制御によってアレイ光源８１１に供給する電力を調整する。
【０１１２】
この構成によれば、ホワイトバランス制御部１１３は、電力制御部１１２がＰＷＭ制御によってアレイ光源８１１に供給する電力を調整した場合でも、光源部８１が発する光のホワイトバランスが変化することを抑制できる。
【０１１３】
電力制御部１１２は、電流制御によってアレイ光源８１１に供給する電力を調整する。
【０１１４】
この構成によれば、ホワイトバランス制御部１１３は、電力制御部１１２が電流制御によってアレイ光源８１１に供給する電力を調整した場合でも、光源部８１が発する光のホワイトバランスが変化することを抑制できる。
【０１１５】
ホワイトバランス制御部１１３は、アレイ光源８１１に供給する電力とホワイトバランスの変化の実測値との相関に基づいて、第１位相差板８１４の回転角度を求める。
【０１１６】
この構成によれば、ホワイトバランス制御部１１３は、電力調整に対する実際の合成光ＷＬのホワイトバランスの変化に即した調整を行うことができる。そのため、ホワイトバランス制御部１１３は、アレイ光源８１１に供給する電力の調整によって光源部８１が発する光のホワイトバランスが変化することを正確に抑制できる。
【０１１７】
電力制御部１１２は、光源部８１の使用時間に応じたアレイ光源８１１の発光光量の低下量が減少するように、アレイ光源８１１に供給する電力を調整する。
【０１１８】
この構成によれば、電力制御部１１２がアレイ光源８１１の発光光量の低下量が減少するようにアレイ光源８１１に供給する電力を調整した場合でも、光源部８１が発する光のホワイトバランスが変化することを抑制できる。
【０１１９】
電力制御部１１２は、光源部８１の寿命が長くなるように、アレイ光源８１１に供給する電力を調整する。
【０１２０】
この構成によれば、電力制御部１１２が光源部８１の寿命が長くなるようにアレイ光源８１１に供給する電力を調整した場合でも、光源部８１が発する光のホワイトバランスが変化することを抑制できる。
【０１２１】
ホワイトバランス制御部１１３は、電力制御部１１２がアレイ光源８１１に供給する電力を調整する度に、第１位相差板８１４にホワイトバランスを調整させる。
【０１２２】
この構成によれば、電力制御部１１２の電力調整タイミングに追従してホワイトバランスを調整できるため、電力調整によって光源部８１が発する光のホワイトバランスが変化することをより確実に抑制できる。
【０１２３】
プロジェクター１は、ホワイトバランスを測定するセンサーユニット８２６を備える。ホワイトバランス制御部１１３は、第１位相差板８１４によって、調整パラメーターに基づくホワイトバランスの調整と並行して、センサーユニット８２６の測定値に基づくホワイトバランスの調整を行う。
【０１２４】
これにより、実際の測定値に基づくホワイトバランスの調整を並行して行うため、アレイ光源８１１に供給する電力の調整によって光源部８１が発する光のホワイトバランスが変化することをより精度良く抑制できる。
【０１２５】
［第２実施形態］
次に、第２実施形態について説明する。
図６は、第２実施形態のプロジェクター１の構成を示すブロック図である。第２実施形態のプロジェクター１の各部の構成について、第１実施形態の各部と同じ構成と同じ構成である場合、同一の符号を付して詳細な説明を省略する。
【０１２６】
第２実施形態のプロジェクター１は、第１実施形態のプロジェクター１と比較して、主に光源部８１の構成が異なる。
【０１２７】
第２実施形態の光源部８１は、青色レーザー光を発するレーザーダイオードにより構成されたレーザー光源８５１、８６１、レーザー光源８５１、８６１の点灯と消灯とを切り替えるレーザー光源ドライバー８５０、８６０、色光を拡散させる拡散板８５２、入射する色光を所定の色の色光に変換する蛍光体ホイール８６２、及び、入射した色光を所定の色の色光に分離する分光部８６３を備える。光源部８１には、光源駆動回路９１が接続する。レーザー光源８５１、８６１は、第２実施形態において固体光源の一例に対応する。また、レーザー光源ドライバー８５０、８６０は、第２実施形態において調整部の一例に対応する。
【０１２８】
レーザー光源ドライバー８５０は、光源駆動回路９１からのＰＷＭ制御信号に従って、レーザー光源８５１の点灯と消灯とを切り替える。また、レーザー光源ドライバー８６０は、光源駆動回路９１からのＰＷＭ制御信号に従って、レーザー光源８６１の点灯と消灯とを切り替える。
【０１２９】
レーザー光源８５１は、レーザー光源ドライバー８５０によって駆動されて青色レーザー光を発し、この青色レーザー光は拡散板８５２に入射して拡散される。拡散されたレーザー光は、青色光として光変調装置８２の対応するＢ原色の液晶パネルに入射し、液晶パネルによって変調される。同様に、レーザー光源８６１は、レーザー光源ドライバー８６０によって駆動されレーザー光源８５１と同様に青色レーザー光を発する。レーザー光源８６１が発した青色レーザー光は、蛍光体ホイール８６２の蛍光体に入射して黄色光に変換され、変換された黄色光は分光部８６３に入射する。分光部８６３は、入射した黄色光を波長成分によって赤色光と緑色光とに分離し、分離された赤色光及び緑色光は、それぞれ対応する原色の液晶パネルに入射する。
【０１３０】
光源駆動回路９１は、制御部１０の制御に従って、レーザー光源８５１、８６１をＰＷＭ制御することによって、レーザー光源８５１、８６１を点灯させる。光源駆動回路９１は、制御部１０に従って、パルス信号をレーザー光源ドライバー８５０、８６０に出力する。レーザー光源ドライバー８５０、８６０は、パルス信号のパルスがオンに立ち上がるとレーザー光源８５１、８６１を点灯させ、パルスがオフに下がるとレーザー光源８５１、８６１を消灯させる。
【０１３１】
第２実施形態において電力制御部１１２は、第１実施形態と同様の動作を実行する。すなわち、電力制御部１１２は、累積光量に応じてレーザー光源８５１、８６１に供給するトータル電力を図３のフローチャートに即して調整する。ここで、電力制御部１１２がレーザー光源８５１、８６１に供給するトータル電力を調整すると、光源部８１が発する光のホワイトバランスが変化する。そこで、ホワイトバランス制御部１１３は、第１実施形態と同様に電力制御部１１２が変更した電力に基づいて第２ホワイトバランス調整動作を実行する。すなわち、ホワイトバランス制御部１１３は、電力制御部１１２の調整に対応するホワイトバランスの調整パラメーターを求める。ここで求められる調整パラメーターは、レーザー光源８５１、８６１に供給する電力比である。第２実施形態の第２対応テーブル１２４では、第１位相差板８１４の回転角度に代わって、レーザー光源８５１、８６１に供給する電力比が格納される。この電力比は、レーザー光源８５１、８６１に供給するトータル電力に依ることなく合成光ＷＬのホワイトバランスをあるホワイトバランスにできる当該電力比である。ホワイトバランス制御部１１３は、レーザー光源８５１、８６１に供給する電力比を取得し、レーザー光源８５１、８６１に供給する電力比が取得した比となるように光源駆動回路９１を制御する。
【０１３２】
なお、第２実施形態においてもホワイトバランス制御部１１３は、第１ホワイトバランス調整動作を、第２ホワイトバランス調整動作と並行して実行する。この場合、プロジェクター１は、レーザー光源８５１が発する青色レーザー光の強度を測定するセンサーと、蛍光体ホイール８６２が発する黄色光の強度を測定するセンサーとを備える。
【０１３３】
第２実施形態のプロジェクター１によれば、第１実施形態のプロジェクター１と同様の効果を奏する。
【０１３４】
上述した各実施形態は、本発明の好適な実施の形態である。ただし、上述の形態に限定されるものではなく、本発明の要旨を逸脱しない範囲内で種々の変形実施が可能である。
【０１３５】
例えば、上述したプロジェクター１の制御方法が、プロジェクター１が備えるコンピューター、又は、プロジェクター１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。
【０１３６】
例えば、図１及び図６に示したプロジェクター１の各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクター１の他の各部の具体的な細部構成についても、本発明の趣旨を逸脱しない範囲で任意に変更可能である。
【０１３７】
また、図３及び図５に示すフローチャートの処理単位は、電力制御部１１２、及び、ホワイトバランス制御部１１３の処理を理解容易にするために、主な処理内容に応じて分割したものである。図３及び図５のフローチャートに示す処理単位の分割の仕方や名称によって本発明が制限されることはない。また、電力制御部１１２、及び、ホワイトバランス制御部１１３の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【０１３８】
１…プロジェクター、２…画像供給装置、３…リモコン、４…商用交流電源、１０…制御部、２０…インターフェース部、３０…フレームメモリー、４０…画像処理部、５０…操作部、５１…操作パネル、５２…リモコン受光部、５３…入力処理部、６０…バス、７０…電源部、８０…投射部、８１…光源部（発光部）、８２…光変調装置、８３…投射光学系、９０…駆動部、９１…光源駆動回路、９２…光変調装置駆動回路、１１０…プロセッサー、１１１…投射制御部、１１２…電力制御部、１１３…ホワイトバランス制御部、１２０…記憶部、１２１…制御プログラム、１２２…設定データ、１２３…第１対応テーブル、１２４…第２対応テーブル、８１１…アレイ光源（固体光源）、８１４…第１位相差板（調整部）、８２６…センサーユニット（センサー）、８５０、８６０…レーザー光源ドライバー（調整部）、８５１、８６１…レーザー光源（固体光源）、ＳＣ…スクリーン。
【図１】
0006950720.tif 000002
【図２】
0006950720.tif 000003
【図３】
0006950720.tif 000004
【図４】
0006950720.tif 000005
【図５】
0006950720.tif 000006
【図６】
0006950720.tif 000007